(57)【要約】【課題】  ノブの回動位置によらず指針部を明るく照射できる操作ノブ装置の提供。【解決手段】  （ａ）本体側円弧状部２１を備えるノブ装置本体２０と、（ｂ）本体側円弧状部２１と同心円上に配置され本体側円弧状部２１の半径方向外側で本体側円弧状部２１に対して回動可能とされたノブ側円弧状部３１と、ノブ側円弧状部３１に設けられる指針部３２と、を備えるノブ３０と、（ｃ）屈曲性があり、本体側円弧状部２１と同心円上に配置され本体側円弧状部２１の半径方向外側かつノブ側円弧状部３１の半径方向内側に配置された導光体側円弧状部４１を備える導光体４０と、（ｄ）導光体４０内に光を供給する光源５０と、を有する操作ノブ装置１０。【選択図】        図１
2007076444.tif 000002
【特許請求の範囲】
【請求項１】
（ａ）本体側円弧状部を備えるノブ装置本体と、
（ｂ）前記本体側円弧状部と同心円上に配置され該本体側円弧状部の半径方向外側で該本体側円弧状部に対して回動可能とされたノブ側円弧状部と、該ノブ側円弧状部に設けられる指針部と、を備えるノブと、
（ｃ）屈曲性があり、前記本体側円弧状部と同心円上に配置され該本体側円弧状部の半径方向外側かつ前記ノブ側円弧状部の半径方向内側に配置された導光体側円弧状部を備える導光体と、
（ｄ）前記導光体内に光を供給する光源と、
を有する操作ノブ装置。
【発明の詳細な説明】
【技術分野】
【０００１】
本発明は、車両に搭載された空気吹き出し口装置等に設けられる操作ノブ装置に関する。
【背景技術】
【０００２】
従来の操作ノブ装置は、図６、図７に示すように、指針部３ａを備えノブ装置本体２に対し回動可能とされたノブ３と、ノブ装置本体２に対して固定の光源５と、を有する。
【０００３】
しかし、従来の操作ノブ装置にはつぎの問題点がある。
ノブ３をノブ装置本体２に対して回動させ光源５が強く照射する範囲Ａから指針部３ａが離れると、指針部３ａの輝度が落ちてしまう。
指針部３ａの輝度が低下することを防止するために、光源５を複数設けることも考えられるが、コストアップになる。
また、指針部３ａの輝度が低下することを防止するために、光源５もノブに合わせて可動とすることも考えられるが、この場合には光源５に接続されるハーネス５ａの信頼性（耐屈曲性など）を保つための構造が必要になる。
【特許文献１】実開昭６３−１７０３１２号公報
【発明の開示】
【発明が解決しようとする課題】
【０００４】
本発明が解決しようとする問題点は、ノブの回動位置によっては指針部の輝度が低下することである。
本発明の目的は、ノブの回動位置によらず指針部を明るく照射できる操作ノブ装置を提供することにある。
【課題を解決するための手段】
【０００５】
上記目的を達成する本発明はつぎの通りである。
（１）  （ａ）本体側円弧状部を備えるノブ装置本体と、
（ｂ）前記本体側円弧状部と同心円上に配置され該本体側円弧状部の半径方向外側で該本体側円弧状部に対して回動可能とされたノブ側円弧状部と、該ノブ側円弧状部に設けられる指針部と、を備えるノブと、
（ｃ）屈曲性があり、前記本体側円弧状部と同心円上に配置され該本体側円弧状部の半径方向外側かつ前記ノブ側円弧状部の半径方向内側に配置された導光体側円弧状部を備える導光体と、
（ｄ）前記導光体内に光を供給する光源と、
を有する操作ノブ装置。
【発明の効果】
【０００６】
上記（１）の操作ノブ装置では、本体側円弧状部とノブ側円弧状部と導光体側円弧状部が同心円上に配置されているので、ノブがノブ装置本体に対して回動した場合であっても、ノブ側円弧状部と導光体側円弧状部との間の距離は不変である。そのため、指針部の輝度は、ノブの回動位置によらず一定またはほぼ一定である。
【発明を実施するための最良の形態】
【０００７】
図１〜図５は、本発明実施例の操作ノブ装置を示している。
本発明実施例の操作ノブ装置１０は、車両に搭載される、空気吹き出し口装置、ヒーターコントロール装置、オーバーヘッドモジュール、オーディオ機器等に設けられる。以下、本発明実施例および図示例では、操作ノブ装置１０が車両に搭載される空気吹き出し口装置に設けられる場合を例にとって説明する。
操作ノブ装置１０は、図１に示すように、（ａ）本体側円弧状部２１を備えるノブ装置本体２０と、（ｂ）本体側円弧状部２１と同心円上に配置され本体側円弧状部２１の半径方向外側で本体側円弧状部２１に対して回動可能とされたノブ側円弧状部３１と、ノブ側円弧状部３１に設けられる指針部３２と、を備えるノブ３０と、（ｃ）屈曲性があり、本体側円弧状部２１と同心円上に配置され本体側円弧状部２１の半径方向外側かつノブ側円弧状部３１の半径方向内側に配置された導光体側円弧状部４１を備える導光体４０と、（ｄ）導光体４０内に光を供給する光源５０と、を有する。
【０００８】
ノブ装置本体２０は、たとえば樹脂製である。ノブ装置本体２０は、空気吹き出し口装置の通風路を形成する図示略の通風路形成壁の外側面に固定される。
本体側円弧状部２１は、中心Ｐを中心とする円弧状部である。本体側円弧状部２１は、全周にわたって設けられていてもよく（リング状であってもよく）、周方向の一部のみに設けられていてもよい（図示例では、リング状である場合を示している）。
本体側円弧状部２１の半径方向外側面の幅方向中央部には、図５に示すように、溝２１ａが設けられている。
【０００９】
ノブ３０は、たとえば樹脂製である。ノブ３０は、ノブ装置本体２０に中心Ｐ周りに回動可能に支持される。ただし、ノブ３０は、図示略の通風路形成壁の外側面に回動可能に支持されていてもよい。
ノブ側円弧状部３１は、図１に示すように、中心Ｐを中心とする円弧状部である。ノブ側円弧状部３１は、全周にわたって設けられていてもよく（リング状であってもよく）、周方向の一部のみに設けられていてもよい（図示例では、周方向の一部のみに設けられている場合を示している）。ノブ側円弧状部３１は、透明であってもよく、不透明であってもよい。ノブ側円弧状部３１の色は特に限定されるものではない。
指針部３２は、ノブ側円弧状部３１の周方向の一部のみに設けられる。指針部３２は、ノブ３０の回転位置を使用者に知らせるために設けられる。指針部３２は、ノブ側円弧状部３１に、シールを貼ること等により設けられていてもよく、ノブ側円弧状部３１の一部に突起部または凹部を形成することにより設けられていてもよい。
【００１０】
導光体４０は、合成樹脂性である。導光体４０は棒状体である。導光体４０の断面形状は、円形であってもよく、楕円形であってもよく、矩形であってもよい。導光体４０は、光源５０からの光を受け入れたとき、導光体４０の全体で均一またはほぼ均一に光る。
導光体側円弧状部４１は、中心Ｐを中心とする円弧状部である。導光体側円弧状部４１は、溝２１ａに巻きつけられる。導光体側円弧状部４１は、本体側円弧状部２１に接着剤等で固定されていてもよく、本体側円弧状部２１に固定されておらず本体側円弧状部２１とノブ側円弧状部３１とで挟持されていてもよい。導光体側円弧状部４１は、本体側円弧状部２１に対して回動しない。
導光体４０は、光源５０からの光を受け入れる受光部４２を有する。受光部４２は、導光体４０の長手方向一端部にある。受光部４２は、図示略の通風路形成壁の外側面に固定される、基板保持部５２に保持される。受光部４２の端面４２ａは、光源５０に対向している。
【００１１】
光源５０は、ＬＥＤ、電球等からなる。光源５０は１個のみ設けられている。光源５０は、プリント基板５１に固定して取り付けられている。プリント基板５１は、基板保持部５２に移動不能に保持されている。
【００１２】
つぎに、本発明実施例の作用を説明する。
本発明実施例では、本体側円弧状部２１とノブ側円弧状部３１と導光体側円弧状部４１が中心Ｐを中心とする同心円上に配置されているので、ノブ３０がノブ装置本体２０に対して回動した場合であっても、ノブ側円弧状部３１と導光体側円弧状部４１との間の距離は不変である。そのため、指針部３２の輝度は、ノブ３０の回動位置によらず一定またはほぼ一定である。
【００１３】
ノブ側円弧状部３１と導光体側円弧状部４１が中心Ｐを中心とする同心円上に配置されているので、ノブ側円弧状部３１が透明である場合、操作ノブ装置１０の外部からノブ側円弧状部３１を通して導光体４０の光を視認できる（使用者はノブ全体が光っているように見える）。そのため、指針部のみが光る場合に比べて、見栄えがよい。
【００１４】
光源５０は１つのみであるため、光源を複数設ける場合に比べて、安価である。
光源５０はプリント基板５１に取り付けられており、プリント基板５１が基板保持部５２に保持されており、基板保持部５２が図示略の通風路形成壁の外側面に固定されるので、ノブ３０を動かした場合でも光源５０は不動である。そのため、光源がノブにあわせて可動とされている場合に比べて、光源５０に接続されるハーネス５３の信頼性が高い。
導光体４０が屈曲性を有するため、導光体４０を本体側円弧状部２１に容易に巻きつけることができる。
【図面の簡単な説明】
【００１５】
【図１】本発明実施例の操作ノブ装置の断面図である。
【図２】本発明実施例の操作ノブ装置の、図１の状態の正面図である。
【図３】本発明実施例の操作ノブ装置の、図１の状態からノブを回動させたときの断面図である。
【図４】本発明実施例の操作ノブ装置の、図３の状態の正面図である。
【図５】本発明実施例の操作ノブ装置の、本体側円弧状部のみを示す斜視図である。
【図６】従来の操作ノブ装置の断面図である。
【図７】従来の操作ノブ装置の、図６の状態からノブを回動させたときの断面である。
【符号の説明】
【００１６】
１０  操作ノブ装置
２０  ノブ装置本体
２１  本体側円弧状部
２１ａ  溝
３０  ノブ
３１  ノブ側円弧状部
３２  指針部
４０  導光体
４１  導光体側円弧状部
４２  受光部
５０  光源
５１  プリント基板
５２  基板保持部
５３  ハーネス
【図１】
2007076444.tif 000003
【図２】
2007076444.tif 000004
【図３】
2007076444.tif 000005
【図４】
2007076444.tif 000006
【図５】
2007076444.tif 000007
【図６】
2007076444.tif 000008
【図７】
2007076444.tif 000009